(57)【要約】【課題】外観の美観を損ねず、外側のカバー部材を交換可能な装身具を提供する。【解決手段】本発明の、例えばカチューシャ１である装身具は、ベース部材２と、ベース部材２を挿入する袋部を備えたカバー部材３と、を備え、ベース部材２をカバー部材３の袋部３３に挿入し又は袋部３３から取り出すことにより、カバー部材３とベース部材２とを着脱可能にしたことを特徴とする。このカチューシャ１によると、カバー部材３に袋部３３が設けられ、この袋部３３にベース部材２を挿入し、又はそこからベース部材２を取り出すことで、ベース部材２とカバー部材３が着脱可能になっている。したがって、ベース部材２とカバー部材３とを着脱する際に、スナップ等の止め具が不要であり、また着脱も容易である。【選択図】図１
2009125135.tif 000002
【特許請求の範囲】
【請求項１】
ベース部材と、
該ベース部材の少なくとも一部を挿入する袋部を備えたカバー部材と、を備え、
前記ベース部材の前記少なくとも一部を、前記カバー部材の前記袋部に挿入し又は該袋部から取り出すことにより、前記カバー部材と前記ベース部材とを着脱可能にしたことを特徴とする装身具。
【請求項２】
前記袋部が、前記ベース部材の全体を収納可能であることを特徴とする請求項１に記載の装身具。
【請求項３】
前記袋部が前記カバー部材の両端に設けられ、該袋部が前記ベース部材の両端部をそれぞれ収納可能であることを特徴とする請求項１に記載の装身具。
【請求項４】
前記カバー部材がリバーシブルであることを特徴とする請求項１〜３のいずれか１項に記載の装身具。
【請求項５】
カチューシャであることを特徴とする請求項１〜４のいずれか１項に記載の装身具。
【発明の詳細な説明】
【技術分野】
【０００１】
本発明は装身具に関し、特に、頭部に装着するカチューシャ又はヘアバンド等の装身具に関する。
【背景技術】
【０００２】
従来、頭部に装着する装身具として、例えばカチューシャ等の装身具がある。このような装身具には、様々な色や柄がのものが存在し、装着者は、服装や気分によって異なる色や柄を有する装身具を適宜交換して装着する。しかし、例えば、異なる洋服のそれぞれに対して、その洋服に合った異なる装身具を用意するのは費用がかかる。また、旅行等に出かける場合、複数のカチューシャを持ち歩くと荷物が嵩張るという問題がある。
【０００３】
一方、頭部に装着する装身具として、頭部に直接装着されるベース部材に対して、スナップ等の止め具によってそのベース部材を覆うカバー部材を着脱可能とした装身具が存在する（例えば、特許文献１参照）。この装身具によれば、カバー部材のみ交換することで、様々な色や柄の装身具を楽しむことができる。したがって、複数の色や柄の装身具を用意しても費用が安価であり、また持ち運ぶ際もベース部材が１つでよいので、嵩張らない。
【特許文献１】特開２００６−２９１４３０号公報
【発明の開示】
【発明が解決しようとする課題】
【０００４】
しかし、上記装身具は、スナップやマジックテープ（登録商標）等の止め具によってベース部材とカバー部材とを着脱可能としている。カチューシャ等の装身具において、ベース部材とカバー部材との着脱にスナップ等の止め具を利用する場合、カバー部材の表側に、スナップを取り付ける際の、例えば縫合部等の取付部が見えてしまうことがある。また、スナップ等を用いる場合、取付箇所が厚くなるため、カチューシャ等の装身具においては、特に美観が損なわれる。
【０００５】
本発明は上記課題を解決するためになされたものであり、外観の美観を損ねず且つ外側のカバー部材を交換可能な装身具を提供することを目的とする。
【課題を解決するための手段】
【０００６】
本発明の装身具は、ベース部材と、該ベース部材の少なくとも一部を挿入する袋部を備えたカバー部材と、を備え、前記ベース部材の前記少なくとも一部を、前記カバー部材の前記袋部に挿入し又は該袋部から取り出すことにより、前記カバー部材と前記ベース部材とを着脱可能にしたことを特徴とする。この装身具によると、異なる種類のベース部材を用意すれば、ベース部材を取り替えることで、異なるデザインを楽しむことができる。また、ベース部材とカバー部材とを着脱する際に、スナップ等の止め具が不要である。
上記装身具において、前記袋部は、前記ベース部材の全体が収納可能であってもよい。ベース部材の全体を収納可能とすることで、その内部にベース部材を全て収納可能で、ベース部材が外側から見えないようにすることができる。したがって、ベース部材自体を装飾的に製造する必要がない。
また、上記装身具において、前記袋部を前記カバー部材の両端に設け、該袋部に、前記ベース部材の両端部をそれぞれ収納可能としてもよい。カバー部の両端に袋部を設け、その袋部に対してベース部材の両端部を出し入れすることで、ベース部材とカバー部材とを容易に着脱可能とすることができる。
更に、上記装身具において、前記カバー部材はリバーシブルであってもよい。リバーシブルにすることにより、より多くの色、柄の装身具を楽しむことができる。
また、上記装身具は、カチューシャであってもよい。
【発明の効果】
【０００７】
本発明によれば、外観の美観を損ねず、外側のカバー部材を交換可能な装身具を提供することができる。
【発明を実施するための最良の形態】
【０００８】
［第１実施形態］
以下、図面等を参照して、本発明の実施形態について説明する。本実施形態では、装身具としてカチューシャ１について説明する。図１は、カチューシャ１を示す図である。カチューシャ１は、細長い帯状部材を湾曲させた形状を有するベース部材２と、そのベース部材２の外周を覆うカバー部材３とを備える。なお、図１においては、カバー部材３として斜めのストライプ模様の布を使用した例を示してある。
【０００９】
図２は、カバー部材３の内部に収納されているベース部材２を示した図である。ベース部材２は、プラスチックの成型品であり、頭部に装着した際に装着者の頭部の形状に合わせて広がる程度の若干の弾力性を有している。
【００１０】
図３は、内部よりベース部材２を取り出した状態のカバー部材３を示した図である。カバー部材３は、細長い布製の袋状部材であり、一端に開口部３１が設けられている。また、カバー部材３は、開口部３１を開閉する蓋部３２を有し、蓋部３２と袋部３３とにマジックテープ３４，３５が取り付けられている。蓋部３２を袋部３３側に折りたたみ、マジックテープ３４，３５を合わせることにより、袋部３３の開口部３１を蓋部３２で閉じることができるようになっている。カバー部材３の布は、伸縮性の布であってもよく、伸縮性の布の場合、多少伸びた状態でベース部材２に装着されるようにすれば、カバー部材３に皺が寄ることなくベース部材２にフィットさせることができる。
【００１１】
図４はカバー部材３の製造方法を示した図である。なお、図４においては、見やすくするためにストライプ模様は省略してある。まず、図４（ａ）に示すように、一枚の長方形の布を中表にして半分に折り、その一短辺３ａ側と、折り返されて輪になった長辺３ｂと反対側の長辺３ｃ側を縫い合わせる。この際、長辺３ｃは、一短辺３ａと反対側の他短辺３ｄに到達するまで縫わず、その手前で止め、無縫合部３ｅを作る。
【００１２】
次に、図４（ａ）の状態の布を、表が外側になるように裏返す（図４（ｂ））。無縫合部３ｅの輪になっている部分３ｂ’を切断し、図４（ｃ）に示すように切断した部分の一方を内側に折り返し、接着剤で袋部３３の内面に貼着する。無縫合部３ｅの貼着されなかった側の端をほつれないように縫い、開口部３１を開閉する蓋部３２を形成する（図４（ｄ））。蓋部３２の開口部３１側面にマジックテープ３４を貼着し、また、袋部３３における蓋部３２を折り返したときにその蓋部３２と重なる部分とに、対のマジックテープ３５を貼着し、カバー部材３が完成する（図４（ｃ），図３）。
【００１３】
このようにして完成したカバー部材３の開口部３１より、ベース部材２を挿入する。ベース部材２を挿入したらマジックテープ３４，３５を互いに重ね合わせて開口部３１を閉じ、図１のカチューシャ１が完成する。
【００１４】
以上、本実施形態のカチューシャ１は、以下の効果を有する。
ベース部材２をカバー部材３の袋部３３に挿入し、又はそこから取り出すことにより、カバー部材３をベース部材２に対して容易に着脱することができる。したがって、異なる色や柄を有するカバー部材３を複数用意して、その日の気分や服装に応じてカバー部材３を交換することで、さまざまな色や柄のカチューシャ１を楽しむことができる。
また、カバー部材３は複数持ち運んでも嵩張らないので、旅行等の際に、一つのベース部材２と複数のカバー部材３とを携帯することで、少ない荷物で、複数の色や柄のカチューシャ１を楽しむことができる。
【００１５】
［第２実施形態］
図５は、本発明の第２実施形態のカチューシャ４の斜視図である。第２実施形態のカチューシャ４も第１実施形態のカチューシャ１と同様に、ベース部材５とカバー部材６とを備え、カバー部材６は袋部６１を備えている。第２実施形態のカチューシャ４が第１実施形態のカチューシャ１と異なる点は、袋部６１が１箇所ではなく、カバー部材６の両端の２箇所に設けられ、ベース部材５の両端が袋部６１に挿入される点である。なお、本実施形態においてベース部材５は、第１実施形態と同様であるのでその説明を省略する。
【００１６】
図６はカバー部材６の製造方法を示した図である。まず、図６（ａ）に示すように、カバー部材６の本体部を構成する一枚の長方形の布６２を中表にして半分に折り、折り返されて輪になった長辺６ａと反対側の長辺６ｂを縫い、それを表が外側になるように裏返す（図６（ｂ））。裏返した布の両端にギャザーを寄せて縫う（図６（ｃ））。その本体部６２の両端に、本体部６２と同様に長方形の布を縫い合わせた布６４を縫い合わせ（図６（ｄ））、布６４の短辺部分を重ねて縫い合わせる（図６（ｅ））。これによりカバー部材３の両端部に袋部６１が形成される。そして、この袋部６１にベース部材５の両端をそれぞれ挿入することにより、図５のカチューシャ４が完成する。
【００１７】
以上、本実施形態によると、上記第１実施形態の効果に加え、更に以下の効果を有する。
袋部６１がカバー部材６の両側に設けられている。ベース部材５の両端を袋部６１に差し込むことにより、ベース部材５に対するカバー部材の交換をより容易に行うことができる。
【００１８】
（変形形態）
以上、説明した実施形態に限定されることなく、以下に示すような種々の変形や変更が可能であり、それらも本発明の範囲内である。
【００１９】
（１）上述の実施形態におけるカバー部材３，６に、例えばエクステンションを編み込んだものを取り付けてもよい。エクステンションとは、人毛や化学繊維で出来た毛束であり、付け毛の一種を言う。図７は、第１実施形態のカバー部材３に例えば三つ編みにしたエクステンション７を取り付けた状態を示した図である。図７においては、三つ編みにしたエクステンション７を２本並べてカバー部材３に貼着した例を示すが、編み込んだエクステンションの数は２本に限定されない。例えば、カチューシャ１が太い場合にはエクステンション７の数は３本であってもよく、また、カチューシャ１が細い場合にはエクステンション７の数は１本であってもよい。また、取付方法は、接着剤による貼着、縫合等いずれの方法であってもよい。
このように編み込んだエクステンション７をカバー部材３，６に取り付け、カバー部材３，６をベース部材に対して着脱可能とすることにより、上記実施形態の効果に加え、あたかも自毛を編み込んでいるかのように見せることができる。なお、エクステンション７の色は、人によって髪の色が異なるため、または、そのときの気分により異なる色を楽しむため、何種類か用意することもできる。
【００２０】
（２）第１実施形態においてカバー部材は、リバーシブルであってもよい。
（３）本実施形態では装身具としてカチューシャ１について説明したが、本発明はこれに限定されず、他の装身具、例えばチョーカーやバングルであってもよい。
（４）本実施形態のカチューシャは、親子でペアで楽しむこともでき、またペットとおそろいにすることもできる。更にカチューシャとチョーカーとをおそろいにすることもできる。
（５）ベース部材の内面に、髪に止めるための櫛歯を設けることもでき、その場合、カバー部材にその櫛歯を通す開口部を設けることもできる。
以上、実施形態及び変形形態は、適宜組み合わせて用いることもできるが、詳細な説明は省略する。また、本発明は以上説明した実施形態によって限定されることはない。
【図面の簡単な説明】
【００２１】
【図１】本発明の第１実施形態のカチューシャを示す図である。
【図２】本発明の第１実施形態のカバー部材の内部に収納されているベース部材を示した図である。
【図３】本発明の第１実施形態における、ベース部材を取り出した状態のカバー部材を示した図である。
【図４】本発明の第１実施形態におけるカバー部材の製造方法を示した図である。
【図５】本発明の第２実施形態のカチューシャを示した図である。
【図６】本発明の第２実施形態のカバー部材の製造方法を示した図である。
【図７】第１及び第１施形態の変形形態を示した図である。
【符号の説明】
【００２２】
１，４：カチューシャ、２，５：ベース部材、３，６：カバー部材、３１：開口部、３２：蓋部、３３，６１：袋部
【図１】
2009125135.tif 000003
【図２】
2009125135.tif 000004
【図３】
2009125135.tif 000005
【図４】
2009125135.tif 000006
【図５】
2009125135.tif 000007
【図６】
2009125135.tif 000008
【図７】
2009125135.tif 000009